(57)【要約】  本発明は、シリアルビデオデータストリームからの画像再生装置及び方法に関し、この装置は、コンテンツビデオデータとコマーシャルビデオデータとを有するシリアルビデオデータストリームを受信する受信手段と、シリアルビデオデータを格納する記憶手段と、シリアルビデオデータストリームの受信レートに関するレートで、シリアルビデオデータをビデオディスプレイに伝達する出力手段と、タイマ手段とを有し、装置は、所定の期間中にコンテンツビデオデータの伝達を中断し、コマーシャルビデオデータを伝達するように適合される。本発明はまた、コンテンツビデオデータとコマーシャルビデオデータとを有する光メモリディスク及びデジタル放送信号に関し、このディスク又は信号は、所定の期間中でのコンテンツビデオデータの伝達の中断及びコマーシャルビデオデータの伝達を決定するデータを有する。
2008521316.tif 000002
【特許請求の範囲】
【請求項１】
シリアルビデオデータストリームからの画像再生装置であって：
コンテンツビデオデータとコマーシャルビデオデータとを有するビデオデータストリームを受信する受信手段と；
前記ビデオデータをビデオディスプレイに伝達する出力手段とを有し、
前記装置は、タイマ手段により決定された所定の期間中に、前記コンテンツビデオデータの伝達を中断し、前記コマーシャルビデオデータを伝達するように適合されることを特徴とする装置。
【請求項２】
前記装置は前記ビデオデータを格納する記憶装置を有する請求項１に記載の装置。
【請求項３】
前記ビデオデータは、前記シリアルビデオデータストリームの受信レートに関するレートで前記出力手段により伝達される請求項１に記載の装置。
【請求項４】
タイミング装置を更に有する請求項１に記載の装置。
【請求項５】
前記装置は、放送局から放送ビデオデータストリームを受信するように適合されることを特徴とする請求項１に記載の装置。
【請求項６】
受信したデータストリームを格納する記憶装置を有する請求項５に記載の装置。
【請求項７】
前記記憶装置はハードディスクメモリを有することを特徴とする請求項６に記載の装置。
【請求項８】
前記記憶装置は、光メモリディスクにデータを格納する手段を有することを特徴とする請求項２に記載の装置。
【請求項９】
前記装置は、光メモリディスクからシリアルビデオストリームを受信するように適合されることを特徴とする請求項１に記載の装置。
【請求項１０】
前記装置は、前記所定の期間中にトリック再生を抑制するように適合されることを特徴とする請求項１ないし９のうちいずれか１項に記載の装置。
【請求項１１】
前記装置は、所定の時間に前記コンテンツビデオデータの伝達を中断し、前記コマーシャルビデオデータの伝達を開始するように適合されることを特徴とする請求項１ないし１０のうちいずれか１項に記載の装置。
【請求項１２】
前記装置は、前記ビデオストリームデータに組み込まれたデータにより決定された時間に、前記コンテンツビデオデータの伝達を中断し、前記コマーシャルビデオコンテンツの伝達を開始するように適合されることを特徴とする請求項７に記載の装置。
【請求項１３】
前記装置は、前記ビデオストリームデータに組み込まれたデータにより決定された時間に、前記コンテンツビデオデータの伝達を中断し、前記コマーシャルビデオコンテンツの特定の部分を伝達するように適合されることを特徴とする請求項８に記載の装置。
【請求項１４】
コンテンツビデオデータとコマーシャルビデオデータとを有する光メモリディスクであって、
前記ディスクは、所定の期間中での前記コンテンツビデオデータの伝達の中断及び前記コマーシャルビデオデータの伝達を決定するデータを有することを特徴とする光メモリディスク。
【請求項１５】
前記ディスクは、所定の期間中での前記コンテンツビデオデータの伝達の中断及び前記コマーシャルビデオデータの伝達を決定するデータを有することを特徴とする請求項１０に記載の光メモリディスク。
【請求項１６】
前記ディスクは、前記中断中に伝達される前記コマーシャルコンテンツの特定の部分を決定するデータを有することを特徴とする請求項１０又は１１に記載の光メモリディスク。
【請求項１７】
コンテンツビデオデータとコマーシャルビデオデータとを有するデジタル放送信号であって、
前記信号は、所定の期間中での前記コンテンツビデオデータの伝達の中断及び前記コマーシャルビデオデータの伝達を決定するデータを有することを特徴とするデジタル放送信号。
【請求項１８】
所定の期間中での前記コンテンツビデオデータの伝達の中断及び前記コマーシャルビデオデータの伝達の時間を決定するデータを特徴とするデジタル放送信号。
【請求項１９】
前記中断中に伝達される前記コマーシャルコンテンツの特定の部分を決定するデータを特徴とするデジタル放送信号。
【請求項２０】
デジタルビデオ信号の再生方法であって：
コンテンツビデオデータとコマーシャルビデオデータとを有するシリアルビデオデータストリームを受信し；
前記シリアルビデオデータストリームをビデオディスプレイに伝達することを有し、
所定の期間中に、前記コンテンツビデオデータの表示を中断し、前記コマーシャルビデオデータを表示することを特徴とする方法。
【請求項２１】
前記コマーシャルビデオデータの表示中にトリック再生を抑制することを特徴とする請求項１６に記載の方法。
【請求項２２】
所定の時間に前記コンテンツビデオデータの表示を中断し、前記コマーシャルビデオデータを表示することを特徴とする請求項１６又は１７に記載の方法。
【請求項２３】
前記ビデオストリームデータに組み込まれたデータにより決定された時間に、前記コンテンツビデオデータの表示を中断し、前記コマーシャルビデオデータを表示することを特徴とする請求項１８に記載の方法。
【請求項２４】
前記ビデオストリームデータに組み込まれたデータにより決定された時間に、前記コンテンツビデオデータの表示を中断し、前記コマーシャルビデオコンテンツの特定の部分を表示することを特徴とする請求項１８に記載の方法。
【請求項２５】
請求項２０に記載の方法を実行するようにコンピュータプロセッサをプログラムするコンピュータプログラム。
【請求項２６】
請求項２５に記載のコンピュータプログラムを運ぶ記録担体。
【発明の詳細な説明】
【技術分野】
【０００１】
本発明は、シリアルビデオデータストリームからの画像再生装置に関する。
【背景技術】
【０００２】
この種類の装置は、地上波及び衛生の性質のデジタル放送信号用のデジタルビデオレコーダの形式で知られている。これらはまた、予め記録された記憶ディスクからシリアルビデオストリームを生成するように適合されたデジタルビデオプレイヤの形式でも知られている。本発明は、ディスクが個人により記録されたディスクではなく、商用に利用可能なディスクである場合に適用可能である。
【発明の開示】
【発明が解決しようとする課題】
【０００３】
放送信号（特に、無料で受信可能な放送信号）は、通常ではコマーシャルを備えている。しばしば、放送のコストは広告主により負担されている。ここで、‘無料’という用語は、デコーダ、デスクランブラ又は同様の装置を使用しないことを意味することがわかる。リアルタイムで信号を視聴するときに、コマーシャルはスキップ不可能である。しかし、DVDのようなディスクにこれらのコマーシャルを記録し、再生中にコマーシャルをスキップすることは可能である。放送局の観点からは、コマーシャルが視聴者により視聴されたか否かを広告主が確信できないため、これは望ましくない状態である。
【０００４】
DVD又はシリアルデジタルビデオデータストリームの他の担体について同様の状況が存在する。予測可能な将来に、これらの担体は無料、低価格又は商用のインセンティブで配布されることが予想される。これらの場合に、ビデオコンテンツのコスト及びDVDの製造はコマーシャルを担体に含めることにより負担される。結局、この製品も同様の状況になる。すなわち、システムの関係者はコマーシャルが視聴者により視聴されることを望む。
【課題を解決するための手段】
【０００５】
本発明は独立項により規定される。
【０００６】
従属項は少なくとも何らかの実施例を示している。
【０００７】
前述の理由で、装置は、所定の期間中にコンテンツビデオデータの伝達を中断し、コマーシャルビデオデータを伝達するように適合されることが望ましい。
【０００８】
これらの特徴により、コマーシャルの表示は、コマーシャルがビデオストリームに挿入される時間に依存せず、担体又は放送信号に存在する情報に依存する。これにより、コマーシャルの表示がシステムにより強制的に決定され、制御が視聴者から取り去られる。
【０００９】
これらの利点はまた、デジタルビデオ信号を再生する方法により実現され、この方法は、コンテンツビデオデータとコマーシャルビデオデータとを有するシリアルビデオデータストリームを受信し、コマーシャルビデオデータを少なくとも格納し、シリアルビデオデータストリームをビデオディスプレイに伝達し、シリアルビデオデータストリームの伝達中にビデオディスプレイと時間を合わせることを有する。コンテンツビデオデータの表示及びコマーシャルビデオデータの表示は、所定の期間中である。
【００１０】
装置に入って装置から出るデジタル信号のレートが関係することが、本発明にとって重要であることを強調する。一般的に言えばこれらのレートは等しいが、誤り訂正のようなデジタル処理の増加と共に、２つのレートが必ずしも正確に等しくないことが考えられる。
【００１１】
前述のように、本発明の特徴は、シリアルビデオデータストリームが放送信号により形成される状況に適用可能である。また、装置は、放送局からこのような放送シリアルビデオデータストリームを受信するように適合されてもよい。
【００１２】
装置がメモリ又は記憶装置を有する場合にのみ、視聴者がコマーシャルをスキップし得る可能性が存在する。アナログビデオカセットレコーダのようなアナログ装置は本発明から除外されないが、本発明の利点は、記憶手段がデジタルハードディスクを有する場合により明確に明らかになる。この特徴は、通常のデジタルビデオレコーダから本質的にわかる。
【００１３】
ハードディスクメモリの代わりに、記憶手段はまた、光メモリディスクにデータを格納する手段を有してもよい。ここでは、これらのディスクは一般的に交換可能である。
【００１４】
前述のように、デジタルビデオ信号はまた、DVDのような商用に利用可能なメモリディスクから入来してもよい。しかし、他の形式も除外されない。
【００１５】
前述の主請求項による特徴は、所定の時間にコマーシャルの表示を決定する特徴を提供する。すなわち、コマーシャルの表示は視聴者により決定されない。それにもかかわらず、視聴者は、記憶装置の転送を早送りすることによりコマーシャルをスキップする可能性を依然として有する。このことは本発明の目的に反する。放送局又はディスクの配布者の視点から望ましくないこの可能性を回避するために、本発明の好ましい実施例は、装置が所定の期間中にトリック再生（trick  play）を抑制するように適合される特徴を提供する。
【００１６】
コマーシャルビデオデータの表示中にトリック再生が抑制される方法が適用されるときに、同じ利点が実現される。
【００１７】
コマーシャルが表示される時間の決定は、複数の可能性を提供する。これらの可能性の１つは、所定の時間でのコンテンツビデオデータの伝達の中断と、コマーシャルビデオデータの伝達の開始である。これは、コマーシャルが例えば20又は30分毎に表示される通常の放送と比較して、最も基本的な選択肢を形成する。
【００１８】
同じことが、コンテンツビデオデータの表示が所定の時間に中断されてコマーシャルビデオデータの表示が行われるこのような方法に当てはまる。
【００１９】
しかし、データストリームに組み込まれたデータにより決定されてコンテンツの表示が中断される時間を有することも可能である。このことは、映画の過度に緊張する場面のようにコマーシャルが適切に配置され得る映画で魅力的な選択肢である。このことは、装置がコンテンツビデオデータの伝達を中断し、ビデオストリームデータに組み込まれたデータにより決定された時間にコマーシャルビデオデータを伝達し始めるように適合された実施例をもたらす。
【００２０】
コンテンツビデオデータの表示がビデオストリームデータに組み込まれたデータにより決定された時間に中断し、コマーシャルビデオコンテンツが表示されるときに、同じ利点が実現される。
【００２１】
他の可能性は、コンテンツビデオデータの伝達を中断し、ビデオストリームデータに組み込まれたデータにより決定された時間にコマーシャルビデオデータの特定の部分を伝達するように装置を適合することである。この可能性は、例えば、テニスの試合の表示の後のコマーシャルがテニスボールのコマーシャルにより後続されることがあり、フットボールの試合の表示の後にフットボールシューズのコマーシャルが表示されることがあるスポーツ番組に関係する。
【００２２】
このことは、コンテンツビデオデータの表示を中断し、ビデオストリームデータに組み込まれたデータにより決定された時間にコマーシャルビデオコンテンツの特定の部分を表示する方法により、カバーされる。
【００２３】
前述のように、信号ストリームは放送信号から入来してもよく、また、ディスクから入来してもよい。従って、本発明は、コンテンツビデオデータとコマーシャルビデオデータとを有する光メモリディスクを提供し、このディスクは、所定の期間中でのコンテンツビデオデータの伝達の中断及びコマーシャルビデオデータの伝達を決定するデータを有する。
【００２４】
また、ディスクの場合、所定の期間中でのコンテンツビデオデータの伝達の中断及びコマーシャルビデオデータの伝達の時間を決定するデータを有するこのようなディスクを提供することが魅力的になり得る。この実施例の利点は、ランダムな時間及び定期間隔での時間に容易に中断され得るビデオコンテンツに現れる。
【００２５】
コマーシャルは、コマーシャルが挿入される通常のビデオコンテンツと関係を有するように選択されてもよい。このような場合、中断中に伝達されるコマーシャルコンテンツの特定の部分を決定するデータをディスクが有する場合に、魅力的である。
【００２６】
ディスクに関して前述した好ましい実施例の利点はまた、信号が放送を通じて供給される同様の状況に適用可能になり得る。従って、コンテンツビデオデータとコマーシャルビデオデータとを有するデジタル放送信号を提供することが魅力的であり、この信号は、所定の期間中でのコンテンツビデオデータの伝達の中断及びコマーシャルビデオデータの表示とを決定するデータを有する。
【００２７】
従って、これらの利点はまた、所定の期間中でのコンテンツビデオデータの伝達の中断及びコマーシャルビデオデータの伝達の時間を決定するデータを有する前述の種類のデジタル放送信号から明らかになる。
【００２８】
同じことが、中断中に伝達されるコマーシャルコンテンツの特定の部分を決定するデータを有するデジタル放送信号に当てはまる。
【発明を実施するための最良の形態】
【００２９】
以下では、本発明について図面を用いて説明する。
【００３０】
本発明は、図１に記載のデジタルビデオレコーダに具現され得る。このビデオレコーダ1は、アンテナ2に接続された入力を有し、その出力はTVセット3に接続される。しかし、他の構成でこのようなデジタルビデオレコーダを使用することも可能である。すなわち、その入力が衛生受信機に接続される、或いはホームビデオシステムに統合される。しかし、デジタルビデオ信号のソースに接続されなければならないという事実を除いて、ビデオレコーダが接続される方法は本発明に関係ない。ビデオレコーダは、このような装置の一般的な構成要素（チューナ／デコーダ4、デジタルメモリ5、処理ユニット6、制御ユニット7、入力装置8等）を有する。その出力9はTVセット3の入力に接続される。
【００３１】
これまではこのビデオレコーダ1は従来技術のデジタルビデオレコーダに従う。しかし、本発明による方法を実行可能にするために、ビデオレコーダ1は、デジタル入力信号を受信して処理できなければならない。
【００３２】
更に、既にデジタルビデオレコーダで既知のように、メモリはハードディスクにより形成されてもよい点に留意すべきである。また、メモリは、光ディスク又は一式の光ディスクと共に、DVDのようなデジタル光記憶ディスク用のライタ／リーダにより形成されることも可能である。
【００３３】
ビデオレコーダ間の接続に一般的であるように、出力信号はアナログ信号により形成されてもよいが、デジタル信号であることが好ましい。出力信号の性質の選択、又はD/A変換器がビデオレコーダに組み込まれるべきか否かは、ビデオ装置間のデジタル相互接続の増加に依存する。請求項が参照する出力信号は、‘実際の’出力信号がアナログの性質の場合にD/A変換器の入力信号であるデジタル信号である。
【００３４】
本発明は制御ユニット7に関し、この制御ユニット7は、このような制御ユニットの通常の機能を実行するように適合される。本発明は、制御ユニットが所定の時間でのTVセットへのコンテンツ信号の通常の伝達を中断し、コマーシャルコンテンツを伝達するように適合される。このことは、デジタル入力信号がコスト無しに又はほとんどコスト無しに視聴者に提示される状況で、有利な特徴である。通常では、ビデオコンテンツのコストは広告主により負担される。広告主のコマーシャルを視聴者に命令的に見るようにさせることにより、広告主はこの種類の広告に更に投資しようとする。
【００３５】
所定の時間は実時間に依存し得る。この状況では、コマーシャルが開始する時間は、15分毎、20分毎等でもよい。
【００３６】
しかし、コマーシャルが表示される時間がデジタルビデオストリームのコンテンツにより決定されることも可能である。このことにより、主なコンテンツの適切な時間にコマーシャルを表示することが可能になる。他の可能性は、メモリに存在する一式のコマーシャルからコマーシャルを選択することである。
【００３７】
前述の実施例は、放送チャネルから信号を受信するように特に適合される。前述のように、DVD又はデジタルビデオ情報の他の担体の形式でビデオ信号を分配することも可能である。このような状況では、図２に示す実施例が適用可能である。ここでも同様に、本発明は制御ユニット7にあるが、信号は、ディスクプレイヤ10に挿入されたディスク11から提示される。実際に、このディスクプレイヤはまた、ディスクを記録するために備えられるが、その機能はこの実施例に無関係である。プレイヤ10に挿入されたディスク11は、前の実施例での入来するビデオストリームと同じ特性を備えたデジタルビデオストリームを有する。従って、同じ変形が適用可能である。
【００３８】
双方の実施例を単一の装置、又は双方の機能を実行するように適合されたビデオレコーダに結合することも可能である。すなわち、信号がメモリに格納可能である場合に外部シリアルソースから入来するビデオストリームで、また、ディスク（特に外部ソースからのディスク、すなわち視聴者自身により記録されていないディスク）から読み出され得るビデオストリームで、ビデオレコーダは双方の機能を実行するように適合される。
【００３９】
最後に、図３は、入来するビデオ信号の例を示しており、コンテンツ信号の部分はコマーシャル信号の部分でインターリーブされる。しかし、本発明はまた、入力信号が最初にコマーシャル部分を連続的に有し、次に図４に示すようなコンテンツビデオを有する状況にも適用可能である。双方の場合に、図３に示すものと同じように、本発明は、出力信号がコンテンツ信号を有するが、コンテンツ信号がコマーシャル信号の部分を伝達するために中断される特徴を提供する。
【００４０】
コマーシャルの表示中にトリック再生が抑制されるという特徴の効果は、図５に示されている。図５は、画像を表示している間に、視聴者が早送り機能をオンにしたときの状況を示している。この図から明らかなように、早送り機能はコマーシャルの表示中に抑制され、各コマーシャルの後に、トリック再生（この場合には早送り）が再開され、視聴者がコマーシャルを完全に見ることを確保する。
【図面の簡単な説明】
【００４１】
【図１】本発明の第１の実施例の図
【図２】本発明の第２の実施例の図
【図３】本発明を説明するために使用される入力信号のタイムチャート
【図４】本発明を説明するために使用される代替の入力信号のタイムチャート
【図５】出力信号のタイムチャート
【図１】
2008521316.tif 000003
【図２】
2008521316.tif 000004
【図３】
2008521316.tif 000005
【図４】
2008521316.tif 000006
【図５】
2008521316.tif 000007
【国際調査報告】
2008521316.tif 000008
2008521316.tif 000009